(57)【特許請求の範囲】
【請求項１】
一方の手摺の端部に装着される第一継ぎ具と他方の手摺の端部に装着される第二継ぎ具とを互いに嵌合させて、両手摺を連接する手摺り継ぎ手であって、
第一継ぎ具は、互いに別部材である、手摺端部に固定される取付部材と、取付部材に固定されるとともに手摺端部を覆うカバー部材とからなり、この取付部材は調整用バネを内蔵したバネ部を前方へ突出して備え、カバー部材は取付部材のバネ部内の調整用バネを押圧する押圧部をカバー内に突出して備えており、
第二継ぎ具は、第一継ぎ具の前記カバー部材の先端部が回動自在に嵌合可能な継ぎ具用開口部を、その先端部に有しており、
第二継ぎ具の前記継ぎ具用開口部において第一継ぎ具の前記カバー部材の先端部を回転させ、且つ第一継ぎ具において前記押圧部が前記調整用バネを押圧するあるいはその押圧を開放するように前記カバー部材を前記取付部材に対して押し込むあるいはその押し込みを放すことで、第一継ぎ具および第二継ぎ具の嵌合角度ならびに第一継ぎ具の長さを調整し、これにより手摺の連接角度ならびに連接長さを調整可能としていることを特徴とする手摺継ぎ手。
【発明の詳細な説明】
【０００１】
【発明の属する技術分野】
この出願の発明は、手摺継ぎ手および手摺継ぎ構造に関するものである。さらに詳しくは、この出願の発明は、手摺を角度および長さ調整自在に連接することのできる、新しい手摺継ぎ手および手摺継ぎ構造に関するものである。
【０００２】
【従来の技術】
従来より、階段や廊下等には手摺がしばしば設けられており、コーナー部においてはたとえばコーナー角度に合わせた継ぎ手あるいはコーナー材によって手摺同士が連接されている。
【０００３】
【発明が解決しようとする課題】
しかしながら、コーナー部における手摺継ぎには実用上以下のような問題点があった。
【０００４】
すなわち、従来の手摺継ぎ手はそれ自体では角度や長さ調整を行うことができないため、手摺そのものをコーナー角度に合わせて切断調整する必要があり、施工現場においてそのような調整を行うのは容易ではなかった。特に、階段曲がり部の入隅個所などでは、３次元的な角度を有するために現場施工が非常に困難なものとなっていた。
【０００５】
この出願の発明は、以上のとおりの事情に鑑みてなされたものであり、従来技術の問題点を解消し、角度および長さを自在に調整可能であり、コーナー部における手摺の連接を極めて容易に行うことのできる、新しい手摺継ぎ手および手摺継ぎ構造を提供することを課題としている。
【０００６】
【課題を解決するための手段】
この出願の発明は、上記の課題を解決するものとして、第１には、一方の手摺の端部に装着される第一継ぎ具と他方の手摺の端部に装着される第二継ぎ具とを互いに嵌合させて、両手摺を連接する手摺り継ぎ手であって、第一継ぎ具は、互いに別部材である、手摺端部に固定される取付部材と、取付部材に固定されるとともに手摺端部を覆うカバー部材とからなり、この取付部材は調整用バネを内蔵したバネ部を前方へ突出して備え、カバー部材は取付部材のバネ部内の調整用バネを押圧する押圧部をカバー内に突出して備えており、第二継ぎ具は、第一継ぎ具の前記カバー部材の先端部が回動自在に嵌合可能な継ぎ具用開口部を、その先端部に有しており、第二継ぎ具の前記継ぎ具用開口部において第一継ぎ具の前記カバー部材の先端部を回転させ、且つ第一継ぎ具において前記押圧部が前記調整用バネを押圧するあるいはその押圧を開放するように前記カバー部材を前記取付部材に対して押し込むあるいはその押し込みを放すことで、第一継ぎ具および第二継ぎ具の嵌合角度ならびに第一継ぎ具の長さを調整し、これにより手摺の連接角度ならびに連接長さを調整可能としていることを特徴とする手摺継ぎ手を提供する。
【０００８】
【発明の実施の形態】
以下に、添付した図面に沿って実施例を示し、さらに詳しくこの発明の実施の形態について説明する。
【０００９】
【実施例】
［実施例１］
図１（ａ）（ｂ）（ｃ）は、各々、この出願の発明の手摺継ぎ手および手摺継ぎ構造の一実施例を示したものである。
【００１０】
たとえばこの図１（ａ）（ｂ）（ｃ）に例示したように、この出願の発明の手摺継ぎ手（１）は、一方の手摺（２ａ）の端部に装着される第一継ぎ具（１１）と他方の手摺（２ｂ）の端部に装着される第二継ぎ具（１２）とからなり、第二継ぎ具（１２）の先端部に設けられた継ぎ具用開口部（１２１）に第一継ぎ具（１１）の先端部が回動自在に嵌合可能となっており、任意角度で第一継ぎ具（１１）および第二継ぎ具（１２）が嵌合されて手摺（２ａ）（２ｂ）を連接するようになっていることを特徴とし、また、この出願の発明の手摺継ぎ構造は、それら第一継ぎ具（１１）および第二継ぎ具（１２）を介して任意角度で手摺を連接することを特徴としている。
【００１１】
この場合さらに説明すると、まず、第一継ぎ具（１１）および第二継ぎ具（１２）は、一方の手摺（２ａ）の端部および他方の手摺（２ａ）の端部に嵌合され、固定ネジ（３）（あるいはビス）により固定される。第二継ぎ具（１２）の先端部分には、たとえば図２（ａ）（ｂ）にも例示したように、第一継ぎ具（１１）の先端部分が回動自在に嵌合される継ぎ具用開口部（１２１）が設けられている。また、第一継ぎ具（１１）の先端部分は、継ぎ具用開口部（１２１）に嵌合された際に回動をスムーズなものとするために半球形となっている。そして、この第一継ぎ具（１１）の先端部分が第二継ぎ具（１２）の継ぎ具用開口部（１２１）に嵌合されて手摺（２ａ）（２ｂ）が連接される際に、第一継ぎ具（１１）の先端部分が継ぎ具用開口部（１２１）において回転することで、任意角度での手摺（２ａ）（２ｂ）の連接が可能となる。図１（ａ）では３０°、図１（ｂ）では６０°、図１（ｃ）では９０°で手摺（２ａ）（２ｂ）が連接されている。
【００１２】
［実施例２］
上述の態様では手摺（２ａ）（２ｂ）の連接角度が自在に調整可能とされているが、この出願の発明では、さらに、たとえば図３〜図５に例示したように、第一継ぎ具（１１）を、手摺（２ａ）の端部に固定される取付部材（１１１）と取付部材（１１１）に固定されるとともに手摺（２ａ）の端部を覆うカバー部材（１１２）とからなるものとし、取付部材（１１１）とカバー部材（１１２）とを互いに伸縮可能なものとして、手摺（２ａ）の端部からカバー部材（１１２）の先端部までの長さを調整可能とした態様を併せ持ち、これにより手摺（２ａ）（２ｂ）の連接角度だけでなく連接長さをも調整可能とすることが好ましい。
【００１３】
この場合さらに説明すると、まず、図３（ａ）〜（ｄ）に例示した態様では、第一継ぎ具（１１）の取付部材（１１１）およびカバー部材（１１２）それぞれにネジ部（１１３）（いずれか一方を雄ネジ部、他方を雌ネジ部とする）が設けられており、両ネジ部（１１３）を螺合することで取付部材（１１１）にカバー部材（１１２）が固定されるとともに、手摺（２ａ）の端部からカバー部材（１１２）の先端部までの長さ、つまり手摺（２ａ）の端部から突出する第一継ぎ具（１１）の長さが調整可能とされている。
【００１４】
より具体的には、まず、取付部材（１１１）は、外周面にネジが形成されたネジ部（１１３）を前方へ突出して備えており、そのネジ部（１１３）内を手摺（２ａ）の端面部方向へと貫通する固定ネジ（３）が端面部に捩じ込まれて手摺（２ａ）に固定されるようになっている。他方、カバー部材（１１２）は、内周面にネジが形成されたネジ部（１１３）をカバー内に突出して備えており、そのネジ部（１１３）が取付部材（１１１）のネジ部（１１３）に螺合されて、取付部材（１１１）とともに手摺（２ａ）の端部を覆い隠すように取付部材（１１１）に固定されるようになっている。そして、たとえば図３（ｂ）（ｃ）に例示したように、カバー部材（１１２）のネジ部（１１３）を取付部材（１１１）のネジ部（１１３）に対してどの程度螺合するかによって、手摺（２ａ）の端部からカバー部材（１１２）の先端部までの長さを自在に調整できる。すなわち、ネジ部（１１３）を軸としてカバー部材（１１２）を取付部材（１１１）に対して回転させるだけで、第一継ぎ具（１１）の長さ調整を容易に且つ自在に行うことができるのである。
【００１５】
一方、図４に例示した態様では、取付部材（１１１）に複数の調整用溝（１１４１）が並設されているとともに、カバー部材（１１２）に調整用溝（１１４１）に嵌められる凸部（１１５）が設けられており、凸部（１１５）が調整用溝（１１４１）のいずれかに嵌められることで取付部材（１１１）にカバー部材（１１２）が固定されるとともに第一継ぎ具（１１）の長さが調整可能とされている。
【００１６】
より具体的には、図４の例では、取付部材（１１１）は、複数の調整用溝（１１４１）がある間隔で並設されている溝部（１１４）を備えており、カバー部材（１１２）は、その内周面に凸部（１１５）を備えている。そして、カバー部材（１１２）が取付部材（１１１）に装着される際に、その凸部（１１５）が溝部（１１４）の調整用溝（１１４１）のいずれに嵌められかによって、手摺（２ａ）の端部からカバー部材（１１２）の先端部までの長さを自在に調整できる。すなわち、凸部（１１５）が溝部（１１４）の調整用溝（１１４１）に嵌まるようにカバー部材（１１２）を取付部材（１１１）に対して差し込み、回転させるだけで、第一継ぎ具（１１）の長さ調整を容易に且つ自在に行うことができるのである。
【００１７】
また、図５に例示した態様では、取付部材（１１１）に調整用バネ（１１６１）が設けられているとともに、カバー部材（１１２）に調整用バネ（１１６１）を押圧する押圧部（１１７）が設けられており、押圧部（１１７）が調整用バネ（１１６１）を押圧することでカバー部材（１１２）が手摺（２ａ）の端部に対して伸縮して第一継ぎ具（１１）の長さが調整可能とされている。
【００１８】
より具体的には、図５の例では、取付部材（１１１）は、調整用バネ（１１６１）を内蔵したバネ部（１１６）を備えており、カバー部材（１１２）は、押圧部（１１７）を、取付部材（１１１）のバネ部（１１６）内の調整用バネ（１１６１）を押圧可能となるように、その先端部の内側からバネ部（１１６）方向に突出して備えている。そして、カバー部材（１１２）が取付部材（１１１）に装着された状態で、押圧部（１１７）により調整用バネ（１１６１）を押圧する、あるいはその押圧を開放することで、調整用バネ（１１６１）の伸縮によって、手摺（２ａ）の端部からカバー部材（１１２）の先端部までの長さを自在に調整できる。すなわち、カバー部材（１１２）を取付部材（１１１）に対して押し込む、あるいはその押し込みを放すだけで、カバー部材（１１２）が手摺（２ａ）の軸方向に自在に伸縮移動して、第一継ぎ具（１１）の長さ調整を容易に且つ自在に行うことができるのである。
【００１９】
なお、以上の図３〜図５に例示したような長さ調整機能を併せ持つ場合では、手摺（２ａ）の端部から突出する第一継ぎ具（１１）の長さを縮めることで、第二継ぎ具（１２）との嵌合後でも第一継ぎ具（１１）を容易に着脱可能とすることができる。
【００２０】
もちろん、この発明は以上の例に限定されるものではなく、細部については様々な態様が可能である。
【００２１】
【発明の効果】
以上詳しく説明した通り、この出願の発明の手摺継ぎ手および手摺継ぎ構造は、自己の角度および長さを自在に微調整することができるため、コーナー部における手摺の連接を、手摺自体の現場切断調整を必要とすることなく、極めて容易に行うことができ、様々なコーナー形状に対応した連続性を持つ手摺を実現する。また、施工後であっても簡単に取り外すことのできる手摺をも実現できる。
【図面の簡単な説明】
【図１】（ａ）（ｂ）（ｃ）は、各々、この出願の発明の手摺継ぎ手および手摺継ぎ構造の一実施例を示した断面図である。
【図２】（ａ）（ｂ）は、各々、第二継ぎ具を例示した正面図および断面図である。
【図３】第一継ぎ具の一例を示したものであり、（ａ）は裏面図、（ｂ）および（ｃ）はＡ−Ａ線断面図、（ｄ）は正面図である。
【図４】第一継ぎ具の別の一例を示した図である。
【図５】第一継ぎ具のさらに別の一例を示した図である。
【符号の説明】
１  手摺継ぎ手
１１  第一継ぎ具
１１１  取付部材
１１２  カバー部材
１１３  ネジ部
１１４  溝部
１１４１  調整用溝
１１５  凸部
１１６  バネ部
１１６１  調整用バネ
１１７  押圧部
１２  第二継ぎ具
１２１  継ぎ具用開口部
２ａ，２ｂ  手摺
３  固定ネジ
【図１】
0003617428.tif 000002
【図２】
0003617428.tif 000003
【図３】
0003617428.tif 000004
【図４】
0003617428.tif 000005
【図５】
0003617428.tif 000006